(57)【要約】【課題】基地局の送信出力を調整することなく、ＴＤＤ通信方式の無線端末に対する相互変調の影響を抑制することができる無線通信システムおよび無線通信方法を提供すること。【解決手段】  複数の周波数帯で無線通信が行われるキャリアアグリゲーションを提供する基地局装置２０と、ＴＤＤ通信方式を提供する基地局装置３０とを備え、基地局装置２０は、基地局装置３０と通信する無線端末の受信期間に、複数の周波数帯のうち、１つの周波数帯の無線信号の送信を停止するまたは送信出力を低下させる無線通信システムとを備えて構成する。【選択図】図１
2015002467.tif 000002
【特許請求の範囲】
【請求項１】
複数の周波数帯で無線通信が行われるキャリアアグリゲーションを提供する第１の基地局装置と、
ＴＤＤ通信方式を提供する第２の基地局装置とを備え、
前記第１の基地局装置は、前記第２の基地局装置と通信する無線端末の受信期間に、前記複数の周波数帯のうち、１つの周波数帯の無線信号の送信を停止するまたは送信出力を低下させる無線通信システム。
【請求項２】
前記第１の基地局装置は、前記受信期間をＧＰＳ同期によって検知する請求項１に記載の無線通信システム。
【請求項３】
複数の周波数帯で無線通信が行われるキャリアアグリゲーションを提供する第１の基地局装置と、
ＴＤＤ通信方式を提供する第２の基地局装置とを備えたシステムの無線通信方法であって、
前記第１の基地局装置は、前記第２の基地局装置と通信する無線端末の受信期間に、前記複数の周波数帯のうち、１つの周波数帯の無線信号の送信を停止するまたは送信出力を低下させるステップを備えた無線通信方法。
【発明の詳細な説明】
【技術分野】
【０００１】
本発明は、無線通信システムおよび無線通信方法に関する。
【背景技術】
【０００２】
従来、３ＧＰＰで策定されている通信規格ＬＴＥ−Ａｄｖａｎｃｅｄ（ＬＴＥ−Ａという）では、高速・大容量化の拡張機能として、複数の帯域の信号を束ねて高速化するキャリアアグリゲーション技術（以下、ＣＡという）が検討されていた（例えば、特許文献１参照）。
【０００３】
キャリアアグリゲーションは、同じ帯域の搬送波だけではなく、異なる離れた帯域の信号を束ねて運用することもあり、そのため異なる離れた周波数の２波の信号による相互変調（ＩＭ）が生じる恐れがある。
【先行技術文献】
【特許文献】
【０００４】
【特許文献１】特開２０１０−２６３２５６号公報
【発明の概要】
【発明が解決しようとする課題】
【０００５】
しかしながら、キャリアアグリゲーションが提供される通信エリアと、ＴＤＤ通信方式が提供される通信エリアとが重複している場合、従来のＴＤＤ通信方式の無線端末においては、相互変調（ＩＭ）による干渉の防止機能が実装されていないため、キャリアアグリゲーションによる相互変調の影響で受信感度の劣化を引き起こす可能性がある。そこで、キャリアアグリゲーションを行う基地局の設置時などに送信出力を下げ、相互変調による干渉を抑えることができるが、この場合、送信出力を下げるため、通信エリアが小さくなってしまうという課題がある。
【０００６】
そこで、本発明は、従来の問題を解決するためになされたもので、基地局の送信出力を調整することなく、ＴＤＤ通信方式の無線端末に対する相互変調の影響を抑制することができる無線通信システムおよび無線通信方法を提供することを目的とする。
【課題を解決するための手段】
【０００７】
本発明の無線通信システムは、複数の周波数帯で無線通信が行われるキャリアアグリゲーションを提供する第１の基地局装置と、ＴＤＤ通信方式を提供する第２の基地局装置とを備え、前記第１の基地局装置は、前記第２の基地局装置と通信する無線端末の受信期間に、前記複数の周波数帯のうち、１つの周波数帯の無線信号の送信を停止するまたは送信出力を低下させるように構成されている。
【０００８】
また、本発明の無線通信システムにおいては、前記第１の基地局装置は、前記受信期間をＧＰＳ同期によって検知するように構成されている。
【０００９】
本発明の無線通信方法は、複数の周波数帯で無線通信が行われるキャリアアグリゲーションを提供する第１の基地局装置と、ＴＤＤ通信方式を提供する第２の基地局装置とを備えたシステムの無線通信方法であって、前記第１の基地局装置は、前記第２の基地局装置と通信する無線端末の受信期間に、前記複数の周波数帯のうち、１つの周波数帯の無線信号の送信を停止するまたは送信出力を低下させるステップを備えている。
【発明の効果】
【００１０】
本発明は、基地局の送信出力を調整することなく、ＴＤＤ通信方式の無線端末に対する相互変調の影響を抑制することができる無線通信システムおよび無線通信方法を提供することを目的とする。
【図面の簡単な説明】
【００１１】
【図１】本実施例に係る無線通信システムの構成図である。
【図２】８００ＭＨｚと１５００ＭＨｚ帯との２波で、１００ＭＨｚ帯および３．２ＧＨｚ帯の部分に広帯域にわたりＩＭ波が発生することを示す図である。
【図３】本実施例に係る基地局装置のブロック図である。
【図４】本発明の実施例に係る無線通信システムの無線信号の送受信タイミング例を示すチャート図である。
【発明を実施するための形態】
【００１２】
以下、本発明の実施の形態について、図面を参照して説明する。
【００１３】
図１は、本実施例に係る無線通信システムの構成図である。基地局装置２０ａおよび基地局装置２０ｂは、ＬＴＥの通信エリアを形成するものである。
【００１４】
さらに、基地局装置２０ａおよび基地局装置２０ｂは、キャリアアグリゲーション機能を提供する。ここで、基地局装置２０ａおよび基地局装置２０ｂは、８００ＭＨｚ、１５００ＭＨｚ帯の２波でキャリアアグリゲーションを行っているものとする。
【００１５】
一方、基地局装置３０は、ＴＤＤの通信エリアを形成するものであり、例えば、ＰＨＳ、ＷｉＭＡＸ、またはＴＤＤＬＴＥの通信エリアを形成するものである。ここで、基地局装置３０は、１００ＭＨｚ帯で無線通信を行っているものとする。なお、基地局装置３０は、相互変調（ＩＭ）による干渉の防止機能が実装されているものとする。
【００１６】
無線端末１０は、ＴＤＤ通信方式で、基地局装置３０に接続して通信するようになっている。ただし、無線端末１０は、基地局装置２０ａおよび基地局装置２０ｂが放射する電波は受信できる状況にある。
【００１７】
ここで、基地局装置２０ａおよび基地局装置２０ｂは、８００ＭＨｚ、１５００ＭＨｚ帯の２波でキャリアアグリゲーションを行っていることで、異なる離れた周波数の２波の信号が相互変調してＩＭ波（妨害波）となることを図２に示す。
【００１８】
図２では、８００ＭＨｚと１５００ＭＨｚ帯との２波で、１００ＭＨｚ帯および３．２ＧＨｚ帯の部分に広帯域にわたりＩＭ波が発生することを示している。
【００１９】
図３は、本実施例に係る基地局装置のブロック図である。基地局装置２０は、無線通信部２１、ネットワークインタフェース２２、制御部２３、およびＧＰＳ同期部２４を有している。
【００２０】
無線通信部２１は、無線端末１０と通信するためにアンテナ（図示していない）からマルチキャリア信号を送受信するものである。例えば、無線通信部２１は、所定の通信規格（本実施例ではＬＴＥについて記載している）に準拠した通信を行うものである。無線通信部２１は、制御部２３から出力された信号を変調処理し、変調処理された信号を無線信号に変換して送信するようになっており、受信した信号を変換し、変換したものを復調処理して制御部２３に出力するようになっている。
【００２１】
ネットワークインタフェース２２は、インターネットや電話網との通信を行うものである。
【００２２】
制御部２３は、通信等の種々のプログラムを実行するＣＰＵ、ＲＯＭ、ＲＡＭなどによって構成される。
【００２３】
ＧＰＳ同期部２４は、ＧＰＳ衛星からの信号を受信し、受信した信号によりタイミングを同期させるものである。
【００２４】
図４は、本発明の実施例に係る無線通信システムの無線信号の送受信タイミング例を示すチャート図である。
【００２５】
本実施例に係るＬＴＥの無線通信システムでは、８００ＭＨｚおよび１５００ＭＨｚ帯の２波でキャリアアグリゲーションを行っている。また、本実施例に係るＴＤＤの無線通信システムでは、１００ＭＨｚで通信が行われており、送信と受信が交互に周期的に行われている。
【００２６】
制御部２３は、ＬＴＥにおいてはキャリアアグリゲーションを行う周波数の組み合わせが、３ＧＰＰにより規定されているため、あらかじめＩＭにより干渉を与える周波数帯がわかる。本実施例では、上述したように、１００ＭＨｚ帯および３．２ＧＨｚ帯の部分にＩＭ波が発生することが制御部２３はわかっている。
【００２７】
制御部２３は、ＧＰＳ同期部２４の同期タイミングを確認し、図４に示したように、ＴＤＤ通信方式の無線端末１０の受信タイミングでキャリアアグリゲーションによるＩＭ波を発生させないように、２つの周波数帯波のうち何れかの送信を停止（送信スロットをオフに）する。なお、停止させる周波数帯波は予め決められており、本実施例では１５００ＭＨｚとしている。
【００２８】
また、基地局装置２０が８００ＭＨｚまたは１５００ＭＨｚの何れかのみの周波数帯を扱っているならば、１５００ＭＨｚを扱っている基地局装置２０ｂが送信を停止する。
【００２９】
なお、制御部２３は、送信出力を低下させ、干渉を減少させる方法を採ってもよい。
【００３０】
また、基地局装置２０は、ＴＤＤ通信方式を行う近隣の無線通信システムの電波をサーチして検出するようにしてもよい。その際、サーチした電波の周波数帯が、ＩＭ波が発生する周波数帯と重複するか否か確認してもよい。
【００３１】
以上説明したように、本発明の実施例に係る無線通信システムは、ＴＤＤ通信方式の無線端末１０の受信タイミングでキャリアアグリゲーションによるＩＭ波発生させないように、１５００ＭＨｚの送信を停止するため、キャリアアグリゲーションにより発生するＩＭ波の干渉を防止することができる。
【符号の説明】
【００３２】
１０  無線端末
２０、２０ａ、２０ｂ、３０  基地局装置
２１  無線通信部
２２  ネットワークインタフェース
２３  制御部
２４  ＧＰＳ同期部
【図１】
2015002467.tif 000003
【図２】
2015002467.tif 000004
【図３】
2015002467.tif 000005
【図４】
2015002467.tif 000006